(57)【要約】【課題】電子機器の内部設定と電子機器表面から視認される設定内容との整合を確認するための構成を低コストで実現する。【解決手段】電子機器１と、当該電子機器１が動作するパラメータである設定情報を生成する設定装置２とを備え、設定装置２は、入力した設定情報をＩＣカード３に記録すると共に該設定情報の内容をＩＣカード３の表面に印刷する。このＩＣカード３は、印刷面が視認できるように電子機器１のカード取付部１１に取り付けられる。電子機器１は、ＩＣカード３がカード取付部１１に取り付けられたことを検知すると、ＩＣカード３に記録された設定情報を読み取り、該設定情報を用いて動作する。【選択図】      図１
2008052638.tif 000002
【特許請求の範囲】
【請求項１】
電子機器が動作するパラメータである設定情報を記録し、当該設定情報の内容が表面に印刷された記録媒体が取り付けられる記録媒体取付部と、
前記記録媒体取付部に記録媒体が取り付けられたことを検知する記録媒体検知手段と、
前記記録媒体取付部に取り付けられて、前記記録媒体検知手段で検知された記録媒体に記録された設定情報を読み取る情報読取手段と、
前記情報読取手段で読み取られた設定情報を用いて動作する演算手段と
を備えることを特徴とする電子機器。
【請求項２】
前記情報読取手段により読み取られた設定情報を格納するデータ保持手段を更に備え、
前記演算手段は、前記記録媒体検知手段によって前記記録媒体取付部から記録媒体が取り外されたことが検知された場合に、前記データ保持手段に格納された設定情報を消去することを特徴とする請求項１に記載の電子機器。
【請求項３】
電子機器と、当該電子機器が動作するパラメータである設定情報を生成する設定装置とを備えた電子機器の設定システムにおいて、
前記設定装置は、
前記設定情報が入力される入力手段と、
前記入力手段によって入力した設定情報を記録媒体に記録する記録手段と、
前記入力手段によって入力した設定情報の内容を記録媒体の表面に印刷する印刷手段とを備え、
前記電子機器は、
前記記録手段によって設定情報が記録され、前記印刷手段によって表面に設定情報の内容が印刷された記録媒体が取り付けられる記録媒体取付部と、
前記記録媒体取付部に記録媒体が取り付けられたことを検知する記録媒体検知手段と、
前記記録媒体取付部に取り付けられて、前記記録媒体検知手段で検知された記録媒体に記録された設定情報を読み取る情報読取手段と、
前記情報読取手段で読み取られた設定情報を用いて動作する演算手段とを備えること
を特徴とする電子機器の設定システム。
【発明の詳細な説明】
【技術分野】
【０００１】
本発明は、パラメータである設定情報が入力されて、当該設定情報を用いて動作する電子機器及び電子機器の設定システムに関する。
【背景技術】
【０００２】
従来より、例えばネットワーク機器などの電子機器の設定作業を行う時に、当該電子機器の設定内容などを設定する技術として、下記の特許文献１に記載されたものが知られている。
【０００３】
この特許文献１には、機能指定情報を記録した記録媒体による指定に応じて複数の端子の入出力機能を自動的に設定可能な端子機能設定装置において、端子に設定される機能の種類を簡単に確認できるようにすることが記載されている。記録媒体には、電子機器の端子に設定すべき入力機能または出力機能の種類を指定する機能指定情報を記憶させておき、電子機器によって記録媒体の機能指定情報が読み取られると、当該機能指定情報に従って端子の機能を設定、すなわち、機能指定情報によって指定される機能に対応する所定の信号処理回路に対して端子を割当てる。そして、電子機器は、端子を介して、所望の種類の信号が入出力可能になる。また、特許文献１には、表示手段によって、設定された端子の機能の種類を示す情報を目視可能に表示することによって、端子に設定される機能の種類を簡単に確認することが可能になることが記載されている。
【０００４】
また、従来の一般的な電子機器の設定方法としては、例えば図６に示すように、設定対象となる電子機器１０１と設定装置１０２とを接続し、当該電子機器１０１の設定情報を設定装置１０２から電子機器１０１に送信する。その後、作業者によって、電子機器１０１の表面の記入欄に設定情報を手書きで書き込む。例えば、当該電子機器１０１の設置個所を１Ｆから２Ｆに変更する場合、その旨の設定情報を設定装置１０２から電子機器１０１に送信して内部設定を完了した後、手書きで１Ｆとの記載を取り消し、２Ｆと書き込んでいる。
【特許文献１】特許２７２７８９８
【発明の開示】
【発明が解決しようとする課題】
【０００５】
しかしながら、上述した特許文献１に記載された技術では、電子機器の設定完了後に電子機器の設定を確認させるための表示を行う必要があり、個々の電子機器に表示手段を備える必要がある。例えばネットワーク機器といったように多数の電子機器のそれぞれに設定を行い、設定内容を目視できるようにするためには、各電子機器に表示手段を搭載する必要があり、コストが高くなる問題がある。
【０００６】
また、手書きによって電子機器の設定を書き込む場合には、作業者が手書きによる設定変更の修正を忘れることや、書き込み方が汚い場合には他の作業者から読み取りづらいなどの問題があり、内部設定と手書き内容との整合がとれない可能性があった。
【０００７】
そこで、本発明は、上述した実情に鑑みて提案されたものであり、電子機器の内部設定と電子機器表面から視認される設定内容との整合を確認するための構成を低コストで実現できる電子機器及び電子機器の設定システムを提供することを目的とする。
【課題を解決するための手段】
【０００８】
本発明に係る電子機器は、上述の課題を解決するために、電子機器が動作するパラメータである設定情報を記録し、当該設定情報の内容が表面に印刷された記録媒体が取り付けられる記録媒体取付部と、記録媒体取付部に記録媒体が取り付けられたことを検知する記録媒体検知手段と、記録媒体取付部に取り付けられて、記録媒体検知手段で検知された記録媒体に記録された設定情報を読み取る情報読取手段と、情報読取手段で読み取られた設定情報を用いて動作する演算手段とを備える。
【０００９】
また、本発明に係る電子機器は、情報読取手段により読み取られた設定情報を格納するデータ保持手段を更に備え、演算手段は、記録媒体検知手段によって記録媒体取付部から記録媒体が取り外されたことが検知された場合に、データ保持手段に格納された設定情報を消去しても良い。
【００１０】
本発明は、電子機器と、当該電子機器が動作するパラメータである設定情報を生成する設定装置とを備えた電子機器の設定システムにおいて、設定装置は、設定情報が入力される入力手段と、入力手段によって入力した設定情報を記録媒体に記録する記録手段と、入力手段によって入力した設定情報の内容を記録媒体の表面に印刷する印刷手段とを備える。一方、電子機器は、上述の課題を解決するために、記録手段によって設定情報が記録され、印刷手段によって表面に設定情報の内容が印刷された記録媒体が取り付けられる記録媒体取付部と、記録媒体取付部に記録媒体が取り付けられたことを検知する記録媒体検知手段と、記録媒体取付部に取り付けられて、記録媒体検知手段で検知された記録媒体に記録された設定情報を読み取る情報読取手段と、情報読取手段で読み取られた設定情報を用いて動作する演算手段とを備える。
【発明の効果】
【００１１】
本発明に係る電子機器によれば、電子機器が動作するパラメータである設定情報を記録し、当該設定情報の内容が表面に印刷された記録媒体が取り付けられた場合に、当該記録媒体に記録された設定情報を読み取って動作するので、電子機器の内部設定と電子機器表面から視認される設定内容との整合を確認するための構成を低コストで実現できる。
【００１２】
また、本発明に係る電子機器によれば、記録媒体取付部から記録媒体が取り外されたことが検知された場合に、データ保持手段に格納された設定情報を消去するので、以前に取り付けられていた記録媒体に記録された設定情報が残ることなく、現在取り付けられている記録媒体の設定情報のみを保持しておくことができ、確実に電子機器の設定情報と記録媒体に印刷された設定情報の内容との整合を取ることができる。
【００１３】
本発明に係る電子機器の設定システムによれば、設定装置に設定情報の内容を記録媒体の表面に印刷する印刷手段を備え、当該印刷された設定情報を電子機器で読み取るので、電子機器の内部設定と電子機器表面から視認される設定内容との整合を確認するための構成を低コストで実現できる。
【発明を実施するための最良の形態】
【００１４】
以下、本発明の実施の形態について図面を参照して説明する。
【００１５】
本発明は、例えば図１に示すように、設定対象となる電子機器１と、当該電子機器１の内部設定を行う設定装置２と、設定装置２によって作成される記録媒体であるＩＣカード３とを備えた電子機器１の設定システムに適用される。この電子機器１の設定システムは、図１の手順（１）において、作業者によって設定装置２が操作されることによって電子機器１の内部設定情報が記録されたＩＣカード３が発行され、図１の手順（２）において、当該ＩＣカード３を電子機器１のカギ状のカード取付部１１（記録媒体取付部）に取り付けることによって、ＩＣカード３に記録された内部設定情報を電子機器１に読み取らせるものである。なお、以下の説明では、電子機器１が、センサや他の電子機器を制御する機器監視装置である場合の例について説明する。
【００１６】
ＩＣカード３は、カード状の筐体内にＩＣタグ３ａが埋め込まれている。このＩＣタグ３ａは、例えば、無線信号を受信した場合に、当該無線信号によって起電力を発生させて内部メモリに記録された情報を無線信号で返信するパッシブ型のタグである。このＩＣタグ３ａに記録される情報は、電子機器１で動作するために必要な各種のパラメータである内部設定情報である。
【００１７】
また、ＩＣカード３の筐体表面には、ＩＣタグ３ａの内部メモリに記録された内部設定情報を視認可能な印字が施されている。例えば、電子機器１がオフィスビルの１Ｆに設置され、当該電子機器１の内部設定情報の物理的な設置情報として１Ｆと設定させる場合、ＩＣカード３の筐体表面には、「１Ｆ」と印字される。このＩＣカード３は、内部設定情報の印刷面が視認できるようにカード取付部１１に取り付けられる。
【００１８】
設定装置２は、図２にその外観図を示すように、液晶ディスプレイ等の表示部２１と、内部設定情報が入力される入力手段である情報入力ボタン２３及び書き込み決定ボタン２４からなる操作入力部２２と、ＩＣカード３が差し込まれるカード差込部２５とを備える。この設定装置２は、例えば電子機器１の設定作業者によって携帯できる寸法となっている。
【００１９】
なお、図示はしていないが、設定装置２は、入力手段によって入力した内部設定情報をＩＣカード３に記録する記録手段であるＩＣライタと、入力手段によって入力した設定情報の内容を記録媒体の表面に印刷する印刷手段である印刷装置とを備えている。
【００２０】
この設定装置２は、ＩＣカード３のＩＣタグ３ａに内部設定情報を書き込む時に、ＩＣカード３をカード差込部２５に挿入する。そして、設定装置２は、ＩＣカード３をカード差込部２５に挿入した状態において、情報入力ボタン２３を操作し、内部設定情報の入力状況を表示部２１で表示させると共に、実行ボタンが操作されることによって内部設定情報を生成する。その後、設定装置２は、内部設定情報を生成した状態において、書き込み決定ボタン２４が操作されると、カード差込部２５の内部に備えられているＩＣライタ（図示せず）に内部設定情報を供給して、ＩＣタグ３ａに内部設定情報を記録させる。このＩＣタグ３ａに対する内部設定情報を記録すると、設定装置２は、図示しないカード差込部２５内に設置した印刷装置によって、ＩＣカード３の表面に、当該記録した内部設定情報を印刷する。
【００２１】
この設定装置２によって作成する内部設定情報としては、例えば、電子機器１のネットワーク設定を行う場合、図３に示すように、電子機器１が動作するためのパラメータとして、電子機器設置箇所、ＩＰアドレス、電子機器種別、電子機器接続Ｉ／Ｏなどが挙げられる。この電子機器接続Ｉ／Ｏは、例えばネットワーク接続端子が５個存在する場合、それぞれの端子（１）〜（５）について設定可能である。
【００２２】
このような設定装置２は、例えば図３のような内部設定情報を生成してＩＣタグ３ａに記録する場合、ＩＣカード３がカード差込部２５に挿入されたことを検知し、電源がオンとされると、表示部２１に「電子機器設置箇所は？」と表示させる。この表示の後、情報入力ボタン２３の「２」が押圧操作されると、電子機器設置個所のパラメータが「２Ｆ」であることの内部設定情報を生成する。次に、表示部２１に「ＩＰアドレスは？」と表示させ、この表示の後、情報入力ボタン２３が「１」、「９」、「２」、「．」、「１」、「６」、「８」、「．」、「１」、「２」、「８」、「．」、「１」の順で押圧操作されると、ＩＰアドレスのパラメータが「１９２．１６８．１２８．１」であることの内部設定情報を生成する。また、電子機器種別については、「電子機器種別は？」と表示した後に、「Ａ／Ｂ」の情報入力ボタン２３の押圧操作によって生成し、電子機器接続Ｉ／Ｏについては、「電子機器接続Ｉ／Ｏ（１）は？」等と表示した後に、「ＤＯ」、「ＤＩ」、「ＡＩ」、「ＡＯ」の情報入力ボタン２３の押圧操作によって生成する。
【００２３】
このように、電子機器設置個所、ＩＰアドレス、電子機器種別、電子機器接続Ｉ／Ｏのそれぞれのパラメータからなる内部設定情報を設定装置２で生成した後、書き込み決定ボタン２４が押圧操作されると、設定装置２は、ＩＣライタによってＩＣタグ３ａに内部設定情報を書き込み、文字として内部設定情報をＩＣカード３の表面に印刷する。
【００２４】
電子機器１は、図４に示すように、演算部（演算手段）３１に、ＩＣタグ検出部（記録媒体検知手段）３２及びＩＣタグ読取部（情報読取手段）３３と、データ保持部（データ保持手段）３４と、信号生成部３５と、通信部３６とが接続されて構成されている。演算部３１は、ＩＣカード３から読み取った内部設定情報を用いて、予め記憶したプログラムを実行することによって、各種の内部処理、通信処理等を行うものである。
【００２５】
ＩＣタグ検出部３２及びＩＣタグ読取部３３は、電子機器１の筐体内において、カード取付部１１に設置されたＩＣカード３のＩＣタグ３ａと無線通信可能な箇所に設置されている。ＩＣタグ検出部３２及びＩＣタグ読取部３３は、所定の周波数帯の無線電波を送受信してＩＣカード３の検出及びＩＣタグ３ａに記録された内部設定情報を読み取るＩＣリーダからなる。ＩＣタグ検出部３２は、所定期間ごとにＩＣタグ３ａの探索電波を出力して、当該探索電波に対してＩＣタグ３ａから応答電波を受信した場合に、カード取付部１１にＩＣタグ３ａが装着されたことを検知する。また、ＩＣタグ読取部３３は、ＩＣタグ検出部３２でＩＣカード３が検知されたことに対して、当該ＩＣタグ３ａに無線電波を出力してＩＣタグ３ａを起動させて、ＩＣタグ３ａの内部メモリに記憶されている内部設定情報を読み取って演算部３１に出力する。
【００２６】
ＩＣタグ読取部３３によって読み取られ、演算部３１に出力された内部設定情報は、メモリであるデータ保持部３４に格納される。演算部３１は、例えば図３のようにＩＰアドレスが設定され、センサである他の電子機器と通信を行って、センサの検出値を取得する場合、データ保持部３４に記憶された自己のＩＰアドレスを格納し且つ検出値を返信するコマンドを含むパケットを信号生成部３５で作成させる。そして、設定装置２は、例えば通信部３６の電子機器接続Ｉ／Ｏの（２）及び（３）にセンサが接続されている場合に、演算部３１によってデータ保持部３４に格納された電子機器接続Ｉ／Ｏ（２）から信号生成部３５で作成したパケットを通信部３６から送信させる。また、当該パケットに対する応答を通信部３６の電子機器接続Ｉ／Ｏ（３）で受信し、信号生成部３５を介して演算部３１で入力して、センサの検出値を得ることができる。
【００２７】
このような電子機器１の動作は、図５に示すように、先ずステップＳ１において電子機器１の電源が投入されると、ステップＳ２において、カード取付部１１にＩＣタグ３ａが存在するか否かを判定する。このとき、演算部３１は、ステップＳ１において電源投入されると同時に、ＩＣタグ検出部３２に対してＩＣタグ３ａの探索電波を所定期間ごとに出力させて、探索電波に対するＩＣタグ３ａからの応答電波を受信できなかった場合には、ステップＳ２の判断を繰り返す。一方、ＩＣカード３がカード取付部１１に設置されて、ＩＣタグ検出部３２から送出した探索電波に対して、ＩＣタグ３ａからの応答電波をＩＣタグ検出部３２で受信した場合、ＩＣタグ検出部３２は、応答電波を受信したことの信号を演算部３１に供給して、ステップＳ３に処理を進める。
【００２８】
ステップＳ３において、演算部３１は、ＩＣタグ読取部３３によってＩＣタグ３ａに記録された内部設定情報を読み取らせて、内部設定情報を取得し、ステップＳ４において、当該内部設定情報をデータ保持部３４に格納する。
【００２９】
次のステップＳ５において、演算部３１は、データ保持部３４に格納したパラメータを元にして、予め記憶しておいたプログラムを実行することによって、通信処理等の定常動作を行う。
【００３０】
次のステップＳ６において、演算部３１は、ＩＣタグ検出部３２によってＩＣカード３がカード取付部１１から取り外されたことを検知したか否かを判定することによって、ＩＣタグ３ａが存在するか否かを判定する。ここで、ＩＣタグ検出部３２は、ＩＣカード３がカード取付部１１に取り付けられて、ステップＳ２でＩＣタグ３ａが存在すると判定した後であっても、所定期間ごとにＩＣタグ３ａの有無を検知して、ＩＣカード３がカード取付部１１から取り外されてＩＣタグ３ａが検知できないと判定した場合には、ステップＳ７に処理を進め、カード取付部１１からＩＣカード３が取り外されていない場合にはステップＳ５の定常動作を継続する。
【００３１】
ステップＳ７において、演算部３１は、ステップＳ５の定常動作を停止すると共に、データ保持部３４に格納された内部設定情報をクリアして、ステップＳ２に処理を戻す。
【００３２】
以上詳細に説明したように、本発明を適用した電子機器１の設定システムによれば、電子機器１に設定する内部設定情報の内容を印刷したＩＣカード３を電子機器１に取り付けるのみで、電子機器１に内部設定情報を設定することができ、且つＩＣカード３に印刷された内部設定情報と電子機器１に設定されている内部設定情報との整合を確実にとることができる。したがって、電子機器１の内部設定と電子機器１表面から視認される設定内容との整合を確認するための構成を低コストで実現できる。
【００３３】
また、電子機器は、カード取付部１１からＩＣカード３が取り外されたことが検知された場合に、データ保持部３４に格納された内部設定情報を消去するので、以前に取り付けられていたＩＣカード３に記録された設定情報が残ることなく、現在取り付けられているＩＣカード３の内部設定情報のみを保持しておくことができ、確実に電子機器１の内部設定情報とＩＣカード３に印刷された内部設定情報の内容との整合を取ることができる。
【００３４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００３５】
すなわち、上述した例では、内部設定情報をカード状のＩＣカード３に記録してカード取付部１１に取り付ける例について説明したが、これに限らず、表面に内部設定情報が印刷され、裏面に粘着剤が塗布されたシール状の記録媒体であっても良い。
【図面の簡単な説明】
【００３６】
【図１】本発明を適用した電子機器の設定システムの外観構成を示す図である。
【図２】設定装置の外観構成を示す斜視図である。
【図３】設定装置によって生成する内部設定情報の例を示す図である。
【図４】本発明を適用した電子機器の内部構成を示すブロック図である。
【図５】本発明を適用した電子機器の処理手順を示すフローチャートである。
【図６】従来の技術を説明する図である。
【符号の説明】
【００３７】
１  電子機器
２  設定装置
３  ＩＣカード
３ａ  ＩＣタグ
１１  カード取付部
２１  表示部
２２  操作入力部
２３  情報入力ボタン
２４  決定ボタン
２５  カード差込部
３１  演算部
３２  ＩＣタグ検出部
３３  ＩＣタグ読取部
３４  データ保持部
３５  信号生成部
３６  通信部
【図１】
2008052638.tif 000003
【図２】
2008052638.tif 000004
【図３】
2008052638.tif 000005
【図４】
2008052638.tif 000006
【図５】
2008052638.tif 000007
【図６】
2008052638.tif 000008